(57)【要約】【課題】運動者の運動履歴を活用することができるペースメーカーシステムを提供する。【解決手段】ウォーキング又はランニングを行う運動者の識別情報を取得する健康ステーション端末５０と、ウォーキング又はランニングのコースＣに沿って設けられて、前記運動者にウォーキング又はランニングのペースを指示する発光パネル１０と、前記運動者が行うウォーキング又はランニングの運動強度を入力する健康ステーション端末５０と、入力された前記運動強度に基づいて発光パネル１０の動作を制御する健康ステーション端末５０と、前記運動者が行ったウォーキング又はランニングの履歴を示す運動履歴、取得された前記識別情報、及び入力された前記運動強度を互いに紐付けて記憶するデータベース４０と、を具備した。【選択図】図２
2018020010.tif 000002
【特許請求の範囲】
【請求項１】
ウォーキング又はランニングを行う運動者の識別情報を取得する取得手段と、
ウォーキング又はランニングのコースに沿って設けられて、前記運動者にウォーキング又はランニングのペースを指示するペース指示手段と、
前記運動者が行うウォーキング又はランニングの運動強度を入力する入力手段と、
入力された前記運動強度に基づいて前記ペース指示手段の動作を制御する制御手段と、
前記運動者が行ったウォーキング又はランニングの履歴を示す運動履歴、取得された前記識別情報、及び入力された前記運動強度を互いに紐付けて記憶する記憶手段と、
を具備するペースメーカーシステム。
【請求項２】
前記ペース指示手段は、
発光部を具備し、
前記制御手段は、
入力された前記運動強度に基づいて前記発光部の発光を制御する、
請求項１に記載のペースメーカーシステム。
【請求項３】
前記発光部は、
複数の色に発光可能であり、
前記制御手段が行う制御は、
前記運動履歴から算出される前記運動者のウォーキング又はランニングの頻度に基づいた色となるように、前記発光部を発光させる第一の制御を含む、
請求項２に記載のペースメーカーシステム。
【請求項４】
前記発光部は、
複数の色に発光可能であり、
前記制御手段が行う制御は、
前記運動者による前記コースの周回数に基づいた色となるように、前記発光部を発光させる第二の制御を含む、
請求項２又は請求項３に記載のペースメーカーシステム。
【請求項５】
前記発光部は、
複数の色に発光可能であり、
前記制御手段が行う制御は、
前記運動者の前記識別情報に基づいた色となるように、前記発光部を発光させる第三の制御を含む、
請求項２から請求項４までのいずれか一項に記載のペースメーカーシステム。
【請求項６】
前記運動者の前記運動履歴に基づいて運動強度を提示する運動強度提示手段をさらに具備する、
請求項１から請求項５までのいずれか一項に記載のペースメーカーシステム。
【請求項７】
前記制御手段は、
前記コース上に設置された信号機と連動して前記ペース指示手段の動作を制御する、
請求項１から請求項６までのいずれか一項に記載のペースメーカーシステム。
【請求項８】
前記制御手段は、
前記コースの傾斜に応じて前記ペース指示手段の動作を制御する、
請求項１から請求項７までのいずれか一項に記載のペースメーカーシステム。
【発明の詳細な説明】
【技術分野】
【０００１】
本発明は、ウォーキングやランニングのためのペースメーカーシステムの技術に関する。
【背景技術】
【０００２】
従来、ウォーキングやランニングのためのペースメーカーシステムの技術は公知となっている。例えば、特許文献１に記載の如くである。
【０００３】
特許文献１には、競技場のトラックの内縁に沿って一定間隔で敷設された複数のＬＥＤ照明体と、当該ＬＥＤ照明体の点灯を制御する制御手段（コントロールボックス）とを具備する競技用ペースメーカーが記載されている。当該競技用ペースメーカーにおいては、予め設定されたペースに合わせて、制御手段がＬＥＤ照明体を順次点灯するよう構成されている。これにより、ランナーは、ＬＥＤ照明体の点灯の流れ（ＬＥＤ照明体が順次点灯していく速度）を目標として走ることができる。
【０００４】
しかしながら、特許文献１に記載の技術は、競技用ペースメーカーを利用してランナーが行った運動に関する情報（運動履歴）を、活用できるものではなかった。
【先行技術文献】
【特許文献】
【０００５】
【特許文献１】特開２０１２−３５０２０号公報
【発明の概要】
【発明が解決しようとする課題】
【０００６】
本発明は以上の如き状況に鑑みてなされたものであり、その解決しようとする課題は、運動者の運動履歴を活用することができるペースメーカーシステムを提供するものである。
【課題を解決するための手段】
【０００７】
本発明の解決しようとする課題は以上の如くであり、次にこの課題を解決するための手段を説明する。
【０００８】
即ち、ウォーキング又はランニングを行う運動者の識別情報を取得する取得手段と、ウォーキング又はランニングのコースに沿って設けられて、前記運動者にウォーキング又はランニングのペースを指示するペース指示手段と、前記運動者が行うウォーキング又はランニングの運動強度を入力する入力手段と、入力された前記運動強度に基づいて前記ペース指示手段の動作を制御する制御手段と、前記運動者が行ったウォーキング又はランニングの履歴を示す運動履歴、取得された前記識別情報、及び入力された前記運動強度を互いに紐付けて記憶する記憶手段と、を具備するものである。
【０００９】
また、前記ペース指示手段は、発光部を具備し、前記制御手段は、入力された前記運動強度に基づいて前記発光部の発光を制御することとしてもよい。
このような構成により、運動者は、発光部の発光に合わせてウォーキング又はランニングを行うことができる。
【００１０】
また、前記発光部は、複数の色に発光可能であり、前記制御手段が行う制御は、前記運動履歴から算出される前記運動者のウォーキング又はランニングの頻度に基づいた色となるように、前記発光部を発光させる第一の制御を含むこととしてもよい。
このような構成により、運動者の運動に対する意欲を向上させることができる。
【００１１】
また、前記発光部は、複数の色に発光可能であり、前記制御手段が行う制御は、前記運動者による前記コースの周回数に基づいた色となるように、前記発光部を発光させる第二の制御を含むこととしてもよい。
このような構成により、運動者の運動に対する意欲を向上させることができる。
【００１２】
また、前記発光部は、複数の色に発光可能であり、前記制御手段が行う制御は、前記運動者の前記識別情報に基づいた色となるように、前記発光部を発光させる第三の制御を含むこととしてもよい。
このような構成により、運動者が、自分のための発光部の発光と、他の運動者のための発光部の発光とを混同するのを防止することができる。
【００１３】
また、前記運動者の前記運動履歴に基づいて運動強度を提示する運動強度提示手段をさらに具備することとしてもよい。
このような構成により、運動者が運動強度を設定し易くすることができる。
【００１４】
また、前記制御手段は、前記コース上に設置された信号機と連動して前記ペース指示手段の動作を制御することとしてもよい。
このような構成により、運動者の利便性を向上させることができる。
【００１５】
また、前記制御手段は、前記コースの傾斜に応じて前記ペース指示手段の動作を制御することとしてもよい。
このような構成により、運動者に過度な負担が加わり難くすることができる。
【発明の効果】
【００１６】
本発明の効果として、以下に示すような効果を奏する。
【００１７】
運動者の運動履歴を活用することができる。
【図面の簡単な説明】
【００１８】
【図１】運動のコースが設定された住宅街を示した平面模式図。
【図２】ペースメーカーシステムの構成を示したブロック図。
【図３】コースの地面及び壁部を示した模式図。
【図４】ペースメーカーシステムの利用方法を示した図。
【図５】（ａ）発光パネルの発光が開始された状態を示した図。（ｂ）２番目の発光パネルが発光した状態を示した図。（ｃ）３番目の発光パネルが発光した状態を示した図。
【図６】複数のＬＥＤの動作を示した図。
【図７】識別情報に紐付けされた運動者の運動に関する情報を示す図。
【図８】発光パネルが運動の頻度に応じた発光色に変化する様子を示した図。
【図９】第四の応用例に係るペースメーカーシステムの構成を示したブロック図。
【図１０】傾斜したコースを示した模式図。
【図１１】第六の応用例に係るペースメーカーシステムの構成を示したブロック図。
【発明を実施するための形態】
【００１９】
まず、図１を用いて、本発明の一実施形態に係るペースメーカーシステム１が適用されるコースＣについて説明する。
【００２０】
コースＣ（図１の二点鎖線参照）は、ウォーキングやランニングのための経路として設定されるものである。コースＣは、複数の住宅Ｈが集合した住宅街Ｔに設定される。コースＣは、住宅街Ｔの所定の区画の外周に沿って設定される。住宅街ＴにコースＣを設定することにより、当該住宅街Ｔの住人に対してウォーキングやランニングを行うように促し、ひいては当該住人の健康の増進を促すことができる。当該コースＣ付近には、健康ステーションＳが設けられる。健康ステーションＳは、後述するペースメーカーシステム１の健康ステーション端末５０等が設けられる建物である。
【００２１】
次に、図１から図３までを用いて、ペースメーカーシステム１の構成について説明する。
【００２２】
図２に示すペースメーカーシステム１は、当該ペースメーカーシステム１を利用してコースＣでウォーキングやランニングを行う者（以下、単に「運動者」と称する）のペースを調整するためのものである。ペースメーカーシステム１は、主として発光パネル１０、ＬＥＤ制御サーバ２０、ＬＥＤ制御中継機器３０、データベース４０及び健康ステーション端末５０を具備する。
【００２３】
図２及び図３に示す発光パネル１０は、運動者にウォーキングやランニングのペースを指示するものである。発光パネル１０は、複数のＬＥＤ１１を縦横に略等間隔に並べて形成される。本実施形態の発光パネル１０は、縦に５つ、横に７つのＬＥＤ１１を並べて、略矩形状に形成されている。ＬＥＤ１１としては、複数の色に発光させることが可能なフルカラーＬＥＤが用いられる。発光パネル１０は、コースＣの全域に亘って複数配置される。具体的には、図３に示すように、発光パネル１０は、コースＣの地面Ｇ及び当該コースＣに沿う壁部Ｗに、略一定の間隔をおいて複数設けられる。
【００２４】
図２に示すＬＥＤ制御サーバ２０は、発光パネル１０（より詳細には、発光パネル１０のＬＥＤ１１）の動作を制御するものである。ＬＥＤ制御サーバ２０は、バスで相互に接続された中央処理装置（ＣＰＵ）、記憶装置（ＲＡＭ及びＲＯＭのような主記憶装置やＳＳＤ及びＨＤＤのようなストレージ）、入力装置（キーボードやマウス）及び出力装置（液晶ディスプレイ）等を具備する。またＬＥＤ制御サーバ２０の記憶装置には、発光パネル１０の動作を制御するためのプログラムが予め記憶されている。ＬＥＤ制御サーバ２０は、後述する健康ステーション端末５０からの情報に基づいて発光パネル１０（ＬＥＤ１１）の動作を制御するための信号を生成し、発信する。ＬＥＤ制御サーバ２０は、健康ステーションＳ（図１参照）内に設けられる。
【００２５】
ＬＥＤ制御中継機器３０は、ＬＥＤ制御サーバ２０から発信された信号を中継するものである。ＬＥＤ制御中継機器３０は、ＬＥＤ制御サーバ２０に接続され、当該ＬＥＤ制御サーバ２０からの信号を受信することができる。またＬＥＤ制御中継機器３０は、複数の発光パネル１０に接続され、ＬＥＤ制御サーバ２０からの信号を当該発光パネル１０に送信することができる。
【００２６】
ＬＥＤ制御中継機器３０は、コースＣに沿って複数設けられる。図１に示すように、本実施形態に係るＬＥＤ制御中継機器３０は、コースＣの中途部に設定された５箇所の設置点Ｐにそれぞれ配置される。当該ＬＥＤ制御中継機器３０によってＬＥＤ制御サーバ２０から発信された信号を中継することで、当該信号の減衰を抑制することができる。
【００２７】
データベース４０は、運動者に関する各種の情報を記憶するものである。
【００２８】
健康ステーション端末５０は、ペースメーカーシステム１全体の動作を制御するものである。健康ステーション端末５０は、バスで相互に接続された中央処理装置（ＣＰＵ）、記憶装置（ＲＡＭ及びＲＯＭのような主記憶装置やＳＳＤ及びＨＤＤのようなストレージ）、入力装置（キーボードやマウス）及び出力装置（液晶ディスプレイ）等を具備する。また健康ステーション端末５０の記憶装置には、ペースメーカーシステム１の動作に必要な各種のプログラムが予め記憶されている。例えば、健康ステーション端末５０は、パソコンやタブレット端末等により構成される。健康ステーション端末５０は、健康ステーションＳ（図１参照）内に設けられる。
【００２９】
健康ステーション端末５０は、ＬＥＤ制御サーバ２０に接続され、当該ＬＥＤ制御サーバ２０に各種情報（信号）を送信することができる。また健康ステーション端末５０は、データベース４０に接続され、当該データベース４０との間で各種情報を送受信することができる。
【００３０】
次に、図４から図７までを用いて、ペースメーカーシステム１の利用方法について説明する。
【００３１】
まず運動者は、健康ステーション端末５０が設置されている健康ステーションＳに入る（図４のステップＳ１０１）。
【００３２】
次に運動者は、健康ステーション端末５０の操作を開始する（図４のステップＳ１０２）。具体的には、運動者は、健康ステーション端末５０を操作（電源を入れる、待機状態を解除する等）し、当該健康ステーション端末５０を各種情報が入力可能な状態にする。
【００３３】
次に運動者は、健康ステーション端末５０に、これから行う運動の種類を入力する（図４のステップＳ１０３）。本実施形態においては、運動者が行う運動としてランニング又はウォーキングを想定している。運動者は、これから行う運動（ランニング又はウォーキング）を選択し、入力装置を用いて健康ステーション端末５０に入力する。
【００３４】
次に、運動者は、これから行う運動を団体（複数人のグループ）で行うか個人で行うかを選択し、入力装置を用いて健康ステーション端末５０に入力する（ステップＳ１０４）。ここで、本実施形態において団体で運動（ランニング又はウォーキング）を行うとは、団体が同じペースで当該運動を行う（一緒にランニング等をする）ということを意味している。
【００３５】
次に、運動者は、健康ステーション端末５０を用いて個人認証を行う（図４のステップＳ１０５）。当該個人認証は、運動者の識別情報を健康ステーション端末５０に入力することで行われる。例えば、運動者ごとに設定されたパスワードを健康ステーション端末５０に入力する、事前に運動者ごとに配布されたＩＣカードを健康ステーション端末５０に読み取らせる、運動者の所有するウェアラブル端末に内蔵されたＩＣチップを健康ステーション端末５０に読み取らせる、等の方法により、当該個人認証が行われる。なお、ステップＳ１０４において運動者が団体で運動を行うことを選択した場合には、ステップＳ１０５において当該団体の各運動者がそれぞれ個人認証を行う。
【００３６】
次に、運動者は、これから行う運動（ランニング又はウォーキング）のペースを選択する（図４のステップＳ１０６）。例えば、運動者は、「時速３ｋｍ」、「時速４ｋｍ」、「時速５ｋｍ」等のペースを選択し、入力装置を用いて健康ステーション端末５０に入力する。
【００３７】
次に、運動者は、これから行う運動（ランニング又はウォーキング）におけるコースＣの周回数を選択する（図４のステップＳ１０７）。例えば、運動者は、「１周」、「２周」、「３周」等の周回数を選択し、入力装置を用いて健康ステーション端末５０に入力する。
【００３８】
このように、運動者は、ステップＳ１０６及びステップＳ１０７において、これから行う運動によって自らに加わる負荷（以下、単に「運動強度」と称する）を設定する。
【００３９】
次に、運動者は、ステップＳ１０３からステップＳ１０７において健康ステーション端末５０に入力した各種の情報が正しいことを確認し、最終的な確定操作を行う（図４のステップＳ１０８）。具体的には、健康ステーション端末５０は、運動者の入力内容や当該運動者の個人認証に基づく情報（氏名等）を出力装置（液晶ディスプレイ等）に表示させる。またこの際、健康ステーション端末５０は、発光パネル１０が発光する際の色（発光色）を決定し、出力装置を用いて当該運動者に報知する。当該発光色は、他の運動者（個人又は団体）と区別できるように、運動者の識別情報に基づいて運動者ごとに異なる色になるように決定される。運動者は、当該出力装置に表示された情報に間違いがないことを確認し、入力装置を操作して当該入力内容を確定させる。また運動者は、決定された発光パネル１０の発光色を確認する。
【００４０】
次に、ＬＥＤ制御サーバ２０は、運動者に応じた発光色で、発光パネル１０の発光を開始する（図４のステップＳ１０９）。具体的には、健康ステーション端末５０は、運動者の入力内容や、ステップＳ１０８で決定した発光パネル１０の発光色に関する情報をＬＥＤ制御サーバ２０に送信する。ＬＥＤ制御サーバ２０は、運動（ランニング又はウォーキング）のスタート地点に対応する発光パネル１０（例えば、健康ステーションＳから最も近い発光パネル１０）を、ステップＳ１０８で決定した発光色に発光させる。
【００４１】
なお、図５（ａ）には、当該ステップＳ１０９において発光パネル１０の発光が開始された状態を示している。図５（ａ）においては、地面Ｇ及び壁部Ｗにそれぞれ設けられた発光パネル１０のうち、左端の発光パネル１０（図５（ａ）における発光パネル１０ａ）が、運動のスタート地点に対応する発光パネル１０であるものとする。
【００４２】
次に、ＬＥＤ制御サーバ２０は、ステップＳ１０９から一定時間経過した後、コースＣに沿って発光パネル１０を順に発光させていく（図４のステップＳ１１０）。具体的には、ＬＥＤ制御サーバ２０は、運動のスタート地点に対応する発光パネル１０（発光パネル１０ａ）を発光させてから（ステップＳ１０９）、一定時間経過するまでその状態を維持する（図５（ａ）参照）。この間に、運動者は健康ステーションＳ内からスタート地点に移動することができる。
【００４３】
その後、ＬＥＤ制御サーバ２０は、コースＣ（運動の進行方向、図５において白抜き矢印で示す方向）に沿って発光パネル１０を順に発光させていく。具体的には、１番目の発光パネル１０ａを消灯させると同時に、当該発光パネル１０ａと隣接する２番目の発光パネル１０（発光パネル１０ｂ）を発光させる（図５（ｂ）参照）。次に、発光パネル１０ｂを消灯させると同時に、当該発光パネル１０ｂと隣接する３番目の発光パネル１０（発光パネル１０ｃ）を発光させる（図５（ｃ）参照）。このように、ＬＥＤ制御サーバ２０は、発光パネル１０の動作（発光及び消灯）を制御して、発光パネル１０の光をコースＣに沿って移動させる。
【００４４】
ここで、本実施形態において、ＬＥＤ制御サーバ２０は、発光パネル１０を順に発光させる際には、単に発光パネル１０を発光及び消灯させるのではなく、発光パネル１０に設けられた複数のＬＥＤ１１の動作を個別に制御している。具体的には、図６に示すように、ＬＥＤ制御サーバ２０は、発光パネル１０内のＬＥＤ１１を、運動者の進行方向（図６において白抜き矢印で示す方向）に順に発光させる。これによって、運動者に対して、発光パネル１０の光が滑らかに進行方向に移動しているように見せることができる。
【００４５】
なお、ＬＥＤ制御サーバ２０は、発光パネル１０の光の移動速度が、ステップＳ１０６において運動者が入力したペースとなるように調整する。具体的には、発光パネル１０の設置場所（隣接する発光パネル１０同士の間隔等）等の情報は予めＬＥＤ制御サーバ２０に記憶されており、当該情報に基づいて、発光パネル１０の光の移動速度が、運動者が入力したペースとなるように調整される。
【００４６】
運動者は、発光パネル１０の光が移動を開始したことを確認し、運動（ランニング又はウォーキング）を開始する（図４のステップＳ１１１）。運動者は、発光パネル１０の光を追いかけるようにランニング又はウォーキングを行うことで、自らが設定したペースでランニング等を行うことができる（図５参照）。
【００４７】
なお、発光パネル１０の発光色は運動者ごとに異なるように設定されているため（ステップＳ１０８参照）、複数の運動者が同時に運動しても他の運動者の発光色と自らの発光色とを区別することができ、当該発光色を混同することなく、正しいペースでランニング等を行うことができる。
【００４８】
また、運動者は、自らが設定した周回数だけ運動（ランニング又はウォーキング）を行う（図４のステップＳ１１２）。具体的には、ＬＥＤ制御サーバ２０は、ステップＳ１０７において運動者が入力した周回数だけ発光パネル１０を発光させると、当該発光パネル１０の発光を終了する。運動者は、発光パネル１０の発光が終了したことを確認することで、自らが設定した周回数の運動が終了したことを認識することができる。
【００４９】
次に、運動者は、健康ステーションＳに移動する（図４のステップＳ１１３）。
【００５０】
次に、運動者は、健康ステーション端末５０の操作を開始する（図４のステップＳ１１４）。具体的には、運動者は、ステップＳ１０２と同様に、健康ステーション端末５０を操作し、当該健康ステーション端末５０を各種情報が入力可能な状態にする。
【００５１】
次に、運動者は、健康ステーション端末５０を用いて個人認証を行う（図４のステップＳ１１５）。当該個人認証は、ステップＳ１０５と同様に、運動者の識別情報を健康ステーション端末５０に入力することで行われる。
【００５２】
ステップＳ１１５の個人認証が行われると、健康ステーション端末５０は、当該運動者の運動に関する情報を、当該運動者の識別情報と紐付けてデータベース４０に記憶させる（図４のステップＳ１１６）。具体的には、健康ステーション端末５０は、運動者が行った運動に関する情報（例えば、運動の種類、運動を行った日付、運動強度（ペース及び周回数）等）を当該運動者の識別情報と紐付けてデータベース４０に記憶させる。また、図７に示すように、データベース４０には、当該運動者が過去に行った運動に関する情報も、当該運動者の識別情報と紐付けて記憶されている。すなわち、データベース４０には、運動者がこれまでに行った運動の履歴（運動履歴）、当該運動者の識別情報、及び運動者が今回行った運動の運動強度が、互いに紐付けられて記憶される。
【００５３】
上記ステップＳ１１６において運動者の運動に関する情報がデータベース４０に記憶された時点で、ペースメーカーシステム１の一連の動作（ある運動者によるペースメーカーシステム１の利用）が終了する。
【００５４】
ステップＳ１１６でデータベース４０に記憶された運動者の運動履歴は種々の用途に利用することができるが、本実施形態に係るペースメーカーシステム１においては、特に運動者の健康の増進を促すことを目的として利用することを想定している。
【００５５】
具体的には、当該運動履歴に基づいて複数の運動者の間で順位付け（ランキング）を行うことで、運動者の運動に対する意欲を向上させることができる。例えば、累積周回数（累積距離）や運動日数を順位付けすることで、運動者の意欲を向上させ、ひいては当該運動者の健康の増進を促すことができる。
【００５６】
また、運動履歴に点数付け（ポイント化）を行うことで、運動者の運動に対する意欲を向上させることができる。例えば、累積周回数（累積距離）や運動日数を点数付けし、ある一定の点数がたまると運動に関する階級が上がるように設定する。これによって、運動者の意欲を向上させ、ひいては当該運動者の健康の増進を促すことができる。
【００５７】
なお、運動者は、自らの運動履歴、並びに順位付けや点数付けの結果を、健康ステーション端末５０等で確認することができる。
【００５８】
以下では、上述の如く構成されたペースメーカーシステム１の各種応用例（変形例）について説明する。
【００５９】
第一の応用例として、ペースメーカーシステム１は、発光パネル１０の発光色を、運動者の運動の頻度に基づいた色となるように発光させることも可能である。
【００６０】
具体的には、健康ステーション端末５０は、ステップＳ１０８において、データベース４０に記憶された運動者の運動履歴に基づいて当該発光色を決定する。この際、健康ステーション端末５０は、当該発光色が運動者の運動の頻度に応じた色になるように決定する。例えば、図８に示すように、運動者の運動の頻度として今月の運動回数を用い、当該運動回数が所定値未満であれば発光色を「紺」に決定する。また、健康ステーション端末５０は、運動回数が増える（運動の頻度が高くなる）につれて、発光色を「青」、「黄」、「赤」に変化させる。
【００６１】
運動者は、このようにして発光色が決定された発光パネル１０の光を追いかけるように運動を行う。運動者が運動を行う際の発光パネル１０の発光色を運動の頻度に応じて変化させることで、当該運動者の運動に対する意欲を向上させることができる。
【００６２】
なお、健康ステーション端末５０は、発光パネル１０を、運動者を区別するための発光色と、運動の頻度に応じて決定された発光色の２色に発光させることも可能である。これによって、発光パネル１０の発光色によって運動者を区別すると同時に運動の頻度を示すことが可能となる。
【００６３】
第二の応用例として、ペースメーカーシステム１は、発光パネル１０の発光色を、運動者の周回数に基づいた色となるように発光させることも可能である。
【００６４】
具体的には、健康ステーション端末５０は、コースＣに沿って設けられた発光パネル１０を１周発光させるごとに、当該発光パネル１０の発光色を変化させるようにＬＥＤ制御サーバ２０に信号を送信する。コースＣの周回数に応じた発光色を予め定めておけば、運動者は当該発光色を確認することで現在の周回数を把握することができ、運動の際の利便性や意欲を向上させることができる。
【００６５】
第三の応用例として、ペースメーカーシステム１は、運動者の運動履歴に基づいて当該運動者に運動強度を提示することも可能である。
【００６６】
具体的には、健康ステーション端末５０は、データベース４０に記憶された運動履歴に基づいて、運動者に適していると思われる運動強度（ペース及び周回数）を決定する。健康ステーション端末５０は、運動者が運動強度を選択する際（ステップＳ１０６及びステップＳ１０７）に、運動者に適していると思われる運動強度を出力装置に表示して提示する。運動者は、提示された運動強度を参考にして、今回の運動強度を選択することができる。
【００６７】
なお、運動者に提示する運動強度（ペース及び周回数）の決定方法としては種々の方法が考えられる。例えば、運動履歴として記憶されている、過去の運動を開始した時刻（開始時刻）と終了した時刻（終了時刻）から、提示する運動強度を決定することが可能である。具体的には、過去の開始時刻と終了時刻から当該運動者が好んでいると思われる運動時間を推定し、当該運動時間に基づいて周回数やペースを決定する。また、その他の決定方法として、運動履歴に基づいて算出されたペース及び周回数の平均値を提示してもよいし、運動履歴の中で最も負荷の大きい運動強度（最も速いペースや、最も多い周回数）を提示してもよい。
【００６８】
第四の応用例として、ペースメーカーシステム１は、コースＣ上に設置された信号機と連動して発光パネル１０の動作を制御することも可能である。
【００６９】
具体的には、図９に示すように、健康ステーション端末５０は、コースＣ上の交差点等に設置された信号機の動作を制御する信号機制御装置Ｎと接続される。健康ステーション端末５０は、信号機制御装置Ｎからの信号を受信することで、信号機が切り替えられるタイミングを把握することができる。
【００７０】
例えば、健康ステーション端末５０は、コースＣ上の信号機（特に、運動者の進行方向前方に配置されている信号機）が赤である場合（又は、赤になりそうな場合）には、当該信号機の手前で発光パネル１０の光の移動速度を低下させる。これによって健康ステーション端末５０は、発光パネル１０の光が、赤の状態の信号機に到達しないようにする。また健康ステーション端末５０は、当該信号機が青に変わった場合には、発光パネル１０の光の移動速度を元の速度に戻す。このように、信号機と連動して発光パネル１０の動作を制御することで、運動者に立ち止まらせることなく運動をさせることができ、当該運動者の利便性を向上させることができる。
【００７１】
また、健康ステーション端末５０は、コースＣ上の信号機が赤である場合には、当該信号機の手前で発光パネル１０の光の移動を停止させてもよい。これによって、運動者の利便性を向上させることができる。
【００７２】
第五の応用例として、ペースメーカーシステム１は、コースＣの傾斜に応じて発光パネル１０の動作を制御することも可能である。
【００７３】
具体的には、健康ステーション端末５０には、コースＣ（地面Ｇ）の傾斜に関する情報が予め記憶されている。より詳細には、健康ステーション端末５０には、コースＣが傾斜している位置（区間）や傾斜角度等が記憶されている。
【００７４】
図１０には、一例として、コースＣ（地面Ｇ）が傾斜している２つの区間（第一区間Ｔ１及び第二区間Ｔ２）を示している。第一区間Ｔ１の地面Ｇは、運動者の進行方向（図１０において白抜き矢印で示す方向）に向かって上昇するように傾斜している。また第二区間Ｔ２の地面Ｇは、運動者の進行方向に向かって下降するように傾斜している。
【００７５】
健康ステーション端末５０は、第一区間Ｔ１に設置された発光パネル１０の光を移動させる際には、ステップＳ１０６で設定されたペースよりもやや遅いペースで当該光を移動させる。また健康ステーション端末５０は、第二区間Ｔ２に設置された発光パネル１０の光を移動させる際には、ステップＳ１０６で設定されたペースよりもやや速いペースで当該光を移動させる。
【００７６】
このように、コースＣの傾斜に応じて発光パネル１０の光の移動のペースを調整することで、運動者に過度な負担が加わり難くすることができる。
【００７７】
なお、健康ステーション端末５０は、発光パネル１０の光の移動のペースをさらに細かく調整することも可能である。具体的には、コースＣの傾斜角度が大きいほどペースが遅くなるように調整したり、コースＣが傾斜している区間が長いほどペースが遅くなるように調整したりすることも可能である。
【００７８】
第六の応用例として、ペースメーカーシステム１は、運動者の生体情報に応じて発光パネル１０の動作を制御することも可能である。
【００７９】
具体的には、図１１に示すように、健康ステーション端末５０は、運動者が身に付けているウェアラブル端末Ｍと無線を介して接続される。ウェアラブル端末Ｍは、運動者の生体情報（例えば、心拍数等）を検出して、当該生体情報を健康ステーション端末５０に送信する。健康ステーション端末５０は、ウェアラブル端末Ｍからの信号を受信することで、運動者の生体情報を把握することができる。
【００８０】
例えば、健康ステーション端末５０は、運動者の心拍数が過剰に上昇した場合には、ステップＳ１０６で設定されたペースよりもやや遅いペースで発光パネル１０の光を移動させる。これによって、運動者に過度な負担が加わり難くすることができる。
【００８１】
以上の如く、本実施形態に係るペースメーカーシステム１は、
ウォーキング又はランニングを行う運動者の識別情報を取得する健康ステーション端末５０（取得手段）と、
ウォーキング又はランニングのコースＣに沿って設けられて、前記運動者にウォーキング又はランニングのペースを指示する発光パネル１０（ペース指示手段）と、
前記運動者が行うウォーキング又はランニングの運動強度を入力する健康ステーション端末５０（入力手段）と、
入力された前記運動強度に基づいて発光パネル１０の動作を制御する健康ステーション端末５０（制御手段）と、
前記運動者が行ったウォーキング又はランニングの履歴を示す運動履歴、取得された前記識別情報、及び入力された前記運動強度を互いに紐付けて記憶するデータベース４０（記憶手段）と、
を具備するものである。
【００８２】
このように構成することにより、運動者の運動履歴を活用することができる。すなわち、運動者の識別情報と運動履歴及び運動強度とを紐付けることで、運動者ごとの運動に関する情報を蓄積することができる。このように運動者ごとに区別された情報を種々の用途に活用することができる。例えば、複数の運動者の順位付けや点数付けを行うことで、当該運動者の運動に対する意欲を向上させることができる。
【００８３】
また、前記ペース指示手段は、
発光パネル１０（発光部）を具備し、
健康ステーション端末５０は、
入力された前記運動強度に基づいて発光パネル１０の発光を制御するものである。
【００８４】
このように構成することにより、運動者は、発光パネル１０の発光に合わせてウォーキング又はランニングを行うことができる。
【００８５】
また、発光パネル１０は、
複数の色に発光可能であり、
健康ステーション端末５０が行う制御は、
前記運動履歴から算出される前記運動者のウォーキング又はランニングの頻度に基づいた色となるように、発光パネル１０を発光させる第一の制御（第一の応用例）を含むものである。
【００８６】
このように構成することにより、運動者の運動に対する意欲を向上させることができる。
【００８７】
また、発光パネル１０は、
複数の色に発光可能であり、
健康ステーション端末５０が行う制御は、
前記運動者によるコースＣの周回数に基づいた色となるように、発光パネル１０を発光させる第二の制御（第二の応用例）を含むものである。
【００８８】
このように構成することにより、運動者の運動に対する意欲を向上させることができる。
【００８９】
また、発光パネル１０は、
複数の色に発光可能であり、
健康ステーション端末５０が行う制御は、
前記運動者の前記識別情報に基づいた色となるように、発光パネル１０を発光させる第三の制御を含むものである。
【００９０】
このように構成することにより、運動者が、自分のための発光パネル１０の発光と、他の運動者のための発光パネル１０の発光とを混同するのを防止することができる。
【００９１】
また、ペースメーカーシステム１は、
前記運動者の前記運動履歴に基づいて運動強度を提示する健康ステーション端末５０（運動強度提示手段）をさらに具備するものである（第三の応用例）。
【００９２】
このように構成することにより、運動者が運動強度を設定し易くなる。すなわち、健康ステーション端末５０により提示された運動強度を基準（目安）とすることで、運動強度の設定が行い易くなる。
【００９３】
また、健康ステーション端末５０は、
コースＣ上に設置された信号機と連動して発光パネル１０の動作を制御するものである（第四の応用例）。
【００９４】
このように構成することにより、運動者の利便性を向上させることができる。
【００９５】
また、健康ステーション端末５０は、
コースＣの傾斜に応じて発光パネル１０の動作を制御するものである。
【００９６】
このように構成することにより、運動者に過度な負担が加わり難くすることができる。
【００９７】
なお、本実施形態に係る健康ステーション端末５０は、取得手段、入力手段、制御手段及び運動強度提示手段の実施の一形態である。
また、本実施形態に係る発光パネル１０は、ペース指示手段及び発光部の実施の一形態である。
また、本実施形態に係るデータベース４０は、記憶手段の実施の一形態である。
【００９８】
以上、実施形態について説明したが、本発明は上記構成に限定されるものではなく、特許請求の範囲に記載された発明の範囲内で種々の変更が可能である。
【００９９】
例えば、上記実施形態においては、コースＣは住宅街Ｔに設定されるものとしたが、例えば大型のマンションの敷地内（例えば、マンションの外周部分）等に設定されるものであってもよい。
【０１００】
また、上記実施形態においては、発光パネル１０が順に発光することで運動者にペースを指示する例を示したが、例えば発光パネル１０内の所定のＬＥＤ１１のみを発光させることで、数字を表示させることも可能である。当該数字を用いて運動者の残り周回数や現在の周回数を表示することで、運動者に対して当該周回数を報知することができる。この場合、運動（コースＣ）のスタート地点近傍の発光パネル１０に当該数字を表示させることが好ましい。
【０１０１】
また、上記実施形態においては、発光パネル１０はコースＣの地面Ｇや壁部Ｗに設けられる例を示したが、発光パネル１０の設置箇所は限定するものではない。例えば、コースＣ上に適宜のスタンド（支持部材）を設置し、当該スタンドに発光パネル１０を取り付けてもよい。
【０１０２】
また、上記実施形態においては、発光パネル１０は、コースＣ上に略一定の間隔をおいて複数設けられるものとしたが、当該発光パネル１０をコースＣに沿って長く延びるように（略直線状に）形成することも可能である。このように形成した発光パネル１０のＬＥＤ１１を、進行方向に向かって順に発光させることで、運動者にペースを指示することができる。
【０１０３】
また、上記実施形態においては、発光パネル１０はＬＥＤ１１を有しているものとしたが、発光するための構成はＬＥＤ１１に限らない。また、上記実施形態においては、発光パネル１０を発光させることで運動者にペースを指示するものとしたが、ペースを指示するための構成はこれに限るものではない。例えば、コースＣに沿って配置された表示装置に表示される画像や文字、コースＣに沿って移動する移動体、コースＣに沿って配置されるスピーカーから発せられる音楽やその他の音等によって、ペースを指示することも可能である。
【０１０４】
また、上記実施形態において説明した運動（ウォーキング及びランニング）には、車椅子の利用者の走行やペットの運動等、コースＣに沿った移動を伴う運動が広く含まれる。
【０１０５】
また、上記実施形態においては、発光パネル１０を運動者にペースを指示するために利用する例だけを説明したが、発光パネル１０の用途はこれに限るものではない。例えば、全ての発光パネル１０を一定の色（例えば、白色）で発光させることで、街灯として利用することも可能である。また、このように街灯として利用しながら、その他の色を用いて運動者にペースを指示することも可能である。
【０１０６】
また、運動者が運動を行っている最中に、ペースを変更することができるように構成してもよい。例えば、運動者が、所持している携帯端末（ウェアラブル端末等）を操作し、当該携帯端末からの信号を健康ステーション端末５０が受け、ペース（発光パネル１０の光の移動速度）を任意に変更できるように構成することも可能である。
【０１０７】
また、上記実施形態においては、複数の応用例を説明したが、当該応用例を適宜組み合わせて実施することが可能である。
【符号の説明】
【０１０８】
１    ペースメーカーシステム
１０  発光パネル
１１  ＬＥＤ
２０  ＬＥＤ制御サーバ
３０  ＬＥＤ制御中継機器
４０  データベース
５０  健康ステーション端末
【図１】
2018020010.tif 000003
【図２】
2018020010.tif 000004
【図３】
2018020010.tif 000005
【図４】
2018020010.tif 000006
【図５】
2018020010.tif 000007
【図６】
2018020010.tif 000008
【図７】
2018020010.tif 000009
【図８】
2018020010.tif 000010
【図９】
2018020010.tif 000011
【図１０】
2018020010.tif 000012
【図１１】
2018020010.tif 000013